(57)【要約】【課題】在庫管理を簡素化して所望の長尺物の照明器具を容易に形成でき、また、余分な発熱を抑えて、効率を向上させること。更には、所定の個数の発光ダイオードで基本ブロックを構成し、単に基本ブロックを並列に接続していくだけで所望の長尺物の照明器具を構成すること。【解決手段】直列に接続した複数個の発光ダイオードＤ１〜Ｄ６で基本ブロック１０を構成する。基本ブロック１０の発光ダイオードＤ１〜Ｄ６を長尺物のプリント基板１１上に長手方向に所定のピッチ毎に列設する。長尺物の照明器具を長手方向に複数に分割した場合に該分割された１つの長手方向の寸法と、基本ブロック１０のプリント基板１１上の実装上の長手方向の寸法とを略同一の寸法とし、基本ブロック１０を複数用いて長尺物の照明器具を構成する。【選択図】図２
2013243085.tif 000002
【特許請求の範囲】
【請求項１】
直列に接続した複数個の発光ダイオード（Ｄ１〜Ｄ６）で基本ブロック（１０）を構成し、
前記基本ブロック（１０）の複数個の発光ダイオード（Ｄ１〜Ｄ６）を長尺物のプリント基板（１１）上に長手方向に所定のピッチ毎に列設し、
長尺物の照明器具を長手方向に複数に分割した場合に該分割された１つの長手方向の寸法と、前記基本ブロック（１０）のプリント基板（１１）上の実装上の長手方向の寸法とを略同一の寸法とし、
前記基本ブロック（１０）を複数用いて長尺物の照明器具を構成していることを特徴とするＬＥＤ照明器具。
【請求項２】
前記基本ブロック（１０）は定電流回路（１）にて所定の定電流にて駆動点灯され、
前記定電流回路（１）には、前記基本ブロック（１０）のみ接続されていることを特徴とする請求項１に記載のＬＥＤ照明器具。
【請求項３】
複数の基本ブロック（１０）を用いて照明器具を構成する場合、複数の基本ブロック（１０）をそれぞれ並列に接続していることを特徴とする請求項２に記載のＬＥＤ照明器具。
【請求項４】
前記照明器具は、横方向の長さが予め決められており、且つ長さが複数種類の照明器具からなり、
横方向の長さが増加する照明器具に対しては、増加した長さに対応する長さ分だけ前記基本ブロック（１０）を増加させていることを特徴とする請求項１に記載のＬＥＤ照明器具。
【請求項５】
前記基本ブロック（１０）は定電流回路（１）にて所定の定電流にて駆動点灯され、
複数の基本ブロック（１０）をそれぞれ並列に接続し、
増加した基本ブロック（１０）は、増加前の基本ブロック（１０）に対して並列に接続していることを特徴とする請求項４に記載のＬＥＤ照明器具。
【請求項６】
前記定電流回路（１）は、発光ダイオード（Ｄ１〜Ｄ６）の順電圧（Ｖｆ）に関係なく順電流（Ｉｆ）のみ一定としていることを特徴とする請求項２、３、５のいずれかに記載のＬＥＤ照明器具。
【発明の詳細な説明】
【技術分野】
【０００１】
本発明は、光源に発光ダイオード（ＬＥＤ）を用いたＬＥＤ照明器具に関するものである。
【背景技術】
【０００２】
図５は、商品を陳列するための什器５１の正面図を示し、この什器５１は複数段の棚５２から構成されており、各棚５２には、各種の商品、例えば化粧品が陳列される。そして、この陳列されている商品を照らすための照明器具５３が各棚５２の下面の前部に取り付けられている。
図６はかかる照明器具５３の斜視図を示しており、細長状に形成されていて、棚５２の横方向の寸法より若干短く形成されている。この照明器具５３の光源として、発光ダイオード（ＬＥＤ）が用いられている。
【０００３】
什器５１の横方向の寸法は、単一に決まっているものではなく、什器５１の横方向の寸法は、該什器５１を設置する場所などによって予め複数用意されている。そのため、什器５１つまり棚５２の横方向の寸法に応じて照明器具５３の横方向の寸法も複数種類を予め用意しておく必要がある。
【０００４】
図７は、照明器具５３の光源である発光ダイオードを駆動点灯するための従来例の回路図を示しており、商用電源（ＡＣ１００Ｖ）を入力とし、整流回路であるダイオードブリッジＤＢを介して定電圧回路６０の出力電圧をＤＣ１００Ｖとしている。
そして、定電圧回路６０の出力電圧であるＤＣ１００Ｖに近くなるように各発光ダイオードＤの順電圧Ｖｆを積み上げるように、ここでは３０個の発光ダイオードＤ１〜Ｄ３０を直列に接続している。この直列回路に定電流回路６１を直列に接続し、定電圧回路６０に接続されている。
【０００５】
なお、図７では発光ダイオードの直列回路に定電流回路６１を直列に接続しているが、抵抗成分Ｒと同義である。
【０００６】
各発光ダイオードＤ１〜Ｄ３０を３０個としているのは、各発光ダイオードの順電圧Ｖｆの合計値を、定電圧回路６０の出力電圧ＤＣ１００Ｖに近づけるためであり、各発光ダイオードの順電圧Ｖｆの合計値が定電圧回路６０の出力電圧ＤＣ１００Ｖに離れるに従い本回路の消費電力が増加して効率が悪くなるからである。
【０００７】
しかし、定電圧回路６０の出力電圧ＤＣ１００Ｖの値に合わせて発光ダイオードの個数を設定すると、発光ダイオードの数が固定されてしまい、発光ダイオードの数を減らすと、定電圧回路６０と定電流回路６１が電力を熱として変換してしまい、効率が悪くなるという問題を有している。
【０００８】
ところで、図８は横方向の長さが異なる照明器具５３を示し、左側の数字は照明器具５３の横方向の寸法を示している。ここでは４種類の長さの照明器具５３を示しているが、他にはさらに長い照明器具もある。
図８では、照明器具５３の横方向の長さが５００ｍｍ、６００ｍｍ、７５０ｍｍ、９００ｍｍを例示している。
【０００９】
ここで、例えば、７５０ｍｍの照明器具５３を基本として、図７に示す発光ダイオードＤ１〜Ｄ３０を３０個用いたとすると、５００ｍｍや６００ｍｍの照明器具５３では、発光ダイオードの数を減らす必要がある。また、９００ｍｍの照明器具５３では、３０個以上の発光ダイオードを用いる必要がある。
また、各照明器具５３の長さに応じて発光ダイオードの数を設定したプリント基板をそれぞれ用意すると、多種類のプリント基板が必要となり、在庫管理が複雑になってしまう。
【００１０】
次に、基準とした発光ダイオードの数を減少させた場合の定電流回路（Ｒ）のロスについて図９及び図１０により説明する。なお、ここでは、説明の便宜上、ＤＣ２４Ｖを定電圧回路の出力電圧とした場合について説明する。
各発光ダイオードの順電圧Ｖｆが３Ｖとした場合、出力電圧のＤＣ２４Ｖの値に近くづけるには、発光ダイオードの数は７個（３Ｖ×７個＝２１Ｖ）となる。また、直列に接続した７個の発光ダイオードに流す順電流Ｉｆを２０ｍＡとして計算をする。
【００１１】
発光ダイオードに加わる電圧は、発光ダイオードが７個なので、順電圧Ｖｆの３Ｖ×７個＝２１Ｖとなる。出力電圧（電源電圧）は、ＤＣ２４Ｖなので、抵抗Ｒに加わる電圧は、２４Ｖ−２１Ｖ＝３Ｖになる。
２０ｍＡの電流を流すので、抵抗Ｒの値は、Ｒ＝３Ｖ／２０ｍＡ＝１５０Ωとなる。そして、この抵抗Ｒでの消費電力はＰ＝Ｉ2 Ｒの式から、
Ｐ＝（０．０２ｍＡ）2 ×１５０Ω
＝０．０６Ｗ
となり、抵抗Ｒにて０．０６Ｗの電力が消費され、この消費電力は比較的少ない電力である。
【００１２】
一方、長さを短くして発光ダイオードの数を減少させた場合、図１０に示すように、図９に示す発光ダイオードの７個から、例えば３個に減らすと、抵抗Ｒでの消費電力は以下のようになる。
【００１３】
先ず、発光ダイオードに加わる電圧は、発光ダイオードが３個なので、順電圧Ｖｆの３Ｖ×３個＝９Ｖとなる。出力電圧（電源電圧）は、ＤＣ２４Ｖなので、抵抗Ｒに加わる電圧は、２４Ｖ−９Ｖ＝１５Ｖになる。
２０ｍＡの電流を流すので、抵抗Ｒの値は、Ｒ＝１５Ｖ／２０ｍＡ＝７５０Ωとなる。そして、この抵抗Ｒでの消費電力はＰ＝Ｉ2 Ｒの式から、
Ｐ＝（０．０２ｍＡ）2 ×７５０Ω
＝０．３Ｗ
となり、抵抗Ｒにて０．３Ｗの電力が消費されることになる。これは、図９に示す場合と比べて、５倍の電力が余計に消費されることになる。
【発明の概要】
【発明が解決しようとする課題】
【００１４】
このように、従来では、定電圧回路６０から出力される電圧値に応じた数の発光ダイオードを直列に接続して該発光ダイオードを点灯させている照明器具５３を基準としている場合に、照明器具５３の長さを短くするために発光ダイオードの個数を減少させると、余分な発熱が生じ、効率が悪くなるという問題があった。
【００１５】
また、照明器具の長さが異なる毎に発光ダイオードを駆動点灯するための回路が必要となり、そのため、多種類の回路やプリント基板が必要となり、在庫管理が複雑になるという問題がある。
【００１６】
本発明は上述の問題点に鑑みて提供したものであって、少なくとも以下の目的を有するＬＥＤ照明器具を提供するものである。
（１）在庫管理を簡素化して所望の長尺物の照明器具を容易に形成することができること。
（２）余分な発熱を抑えて、効率を向上させること。
（３）所定の個数の発光ダイオードで基本ブロックを構成し、単に基本ブロックを並列に接続していくだけで所望の長尺物の照明器具を構成することができること。
（４）長さが長い照明器具を構成する場合でも、基本ブロックを増加させるだけで、所望の長さの照明器具を容易に形成することができること。
（５）基本ブロックを増加させる場合でも、回路構成を簡単にすることができること。
（６）発光ダイオードの製造で発生する順電圧Ｖｆのバラツキを無関係として、回路設計を容易にすることができること。
【課題を解決するための手段】
【００１７】
そこで、本発明の請求項１に記載のＬＥＤ照明器具では、直列に接続した複数個の発光ダイオードＤ１〜Ｄ６で基本ブロック１０を構成し、前記基本ブロック１０の複数個の発光ダイオードＤ１〜Ｄ６を長尺物のプリント基板１１上に長手方向に所定のピッチ毎に列設し、長尺物の照明器具を長手方向に複数に分割した場合に該分割された１つの長手方向の寸法と、前記基本ブロック１０のプリント基板１１上の実装上の長手方向の寸法とを略同一の寸法とし、前記基本ブロック１０を複数用いて長尺物の照明器具を構成していることを特徴としている。
【００１８】
請求項２に記載のＬＥＤ照明器具では、前記基本ブロック１０は定電流回路１にて所定の定電流にて駆動点灯され、前記定電流回路１には、前記基本ブロック１０のみ接続されていることを特徴としている。
【００１９】
請求項３に記載のＬＥＤ照明器具では、複数の基本ブロック１０を用いて照明器具を構成する場合、複数の基本ブロック１０をそれぞれ並列に接続していることを特徴としている。
【００２０】
請求項４に記載のＬＥＤ照明器具では、前記照明器具は、横方向の長さが予め決められており、且つ長さが複数種類の照明器具からなり、横方向の長さが増加する照明器具に対しては、増加した長さに対応する長さ分だけ前記基本ブロック１０を増加させていることを特徴としている。
【００２１】
請求項５に記載のＬＥＤ照明器具では、前記基本ブロック１０は定電流回路１にて所定の定電流にて駆動点灯され、複数の基本ブロック１０をそれぞれ並列に接続し、増加した基本ブロック１０は、増加前の基本ブロック１０に対して並列に接続していることを特徴としている。
【００２２】
請求項６に記載のＬＥＤ照明器具では、前記定電流回路１は、発光ダイオードＤ１〜Ｄ６の順電圧Ｖｆに関係なく順電流Ｉｆのみ一定としていることを特徴としている。
【発明の効果】
【００２３】
本発明の請求項１に記載のＬＥＤ照明器具によれば、直列に接続した複数個の発光ダイオードＤ１〜Ｄ６で基本ブロック１０を構成し、前記基本ブロック１０の複数個の発光ダイオードＤ１〜Ｄ６を長尺物のプリント基板１１上に長手方向に所定のピッチ毎に列設し、長尺物の照明器具を長手方向に複数に分割した場合に該分割された１つの長手方向の寸法と、前記基本ブロック１０のプリント基板１１上の実装上の長手方向の寸法とを略同一の寸法とし、前記基本ブロック１０を複数用いて長尺物の照明器具を構成しているので、所望の長尺物の照明器具を構成する場合、該照明器具と略同じ長さとなるように複数の基本ブロック１０を用いるだけで、所望の長尺物の照明器具を容易に形成することができる。
【００２４】
請求項２に記載のＬＥＤ照明器具によれば、前記基本ブロック１０は定電流回路１にて所定の定電流にて駆動点灯され、前記定電流回路１には、前記基本ブロック１０のみ接続されているので、従来のように発光ダイオードと直列に定電流回路や抵抗が接続されておらず、そのため、抵抗等での発熱がなく、効率を向上させることができる。
【００２５】
請求項３に記載のＬＥＤ照明器具によれば、複数の基本ブロック１０を用いて照明器具を構成する場合、複数の基本ブロック１０をそれぞれ並列に接続しているものであり、単に基本ブロック１０を並列に接続していくだけであり、所望の長尺物の照明器具を構成することができる。
【００２６】
請求項４に記載のＬＥＤ照明器具によれば、前記照明器具は、横方向の長さが予め決められており、且つ長さが複数種類の照明器具からなり、横方向の長さが増加する照明器具に対しては、増加した長さに対応する長さ分だけ前記基本ブロック１０を増加させていることで、所望の長尺物の照明器具を容易に形成することができ、また、照明器具の長さに応じて上記基本ブロック１０を複数増加させるだけなので、長さが異なる照明器具を構成する場合でも、在庫の種類を少なくでき、在庫管理を簡素化することができる。また、長さが異なる照明器具を構成する場合、従来では、増加する部分では、発光ダイオードの個数を減らしたりしていたが、かかる場合には、発光ダイオードに直列に抵抗を接続する必要があり、その抵抗にて発熱する分だけ消費電力が多くなるが、本発明では、長さを長くした照明器具を構成する場合でも、抵抗等は使用しないので、消費電力を抑えることができる。
【００２７】
請求項５に記載のＬＥＤ照明器具によれば、前記基本ブロック１０は定電流回路１にて所定の定電流にて駆動点灯され、複数の基本ブロック１０をそれぞれ並列に接続し、増加した基本ブロック１０は、増加前の基本ブロック１０に対して並列に接続するようにしていることで、基本ブロック１０を増加させる場合でも、回路構成を簡単にすることができる。
【００２８】
請求項６に記載のＬＥＤ照明器具によれば、前記定電流回路１は、発光ダイオードＤ１〜Ｄ６の順電圧Ｖｆに関係なく順電流Ｉｆのみ一定としているので、発光ダイオードの製造で発生する順電圧Ｖｆのバラツキも無関係となり、回路設計を容易にすることができる。
【図面の簡単な説明】
【００２９】
【図１】本発明の実施の形態におけるブロック回路図である。
【図２】本発明の実施の形態における基本ブロックや長さが異なる場合の説明図である。
【図３】本発明の実施の形態における長さが５００ｍｍの場合の照明器具のブロック回路図である。
【図４】本発明の実施の形態における長さが６００ｍｍの場合の照明器具での基本ブロックを追加した場合のブロック回路図である。
【図５】照明器具を使用する什器の正面図である。
【図６】什器に用いる長尺物の照明器具の斜視図である。
【図７】従来例の点灯回路の回路図である。
【図８】従来例の長さが異なる照明器具の説明図である。
【図９】発光ダイオードの個数により余分な電力を消費する場合の説明図である。
【図１０】発光ダイオードの個数により余分な電力を消費する場合の説明図である。
【発明を実施するための形態】
【００３０】
以下、本発明の実施の形態を図面を参照して詳細に説明する。図１は本発明のＬＥＤ照明器具の基本回路図を示し、本発明では、複数個の発光ダイオードを１つの基本ブロックとしている。例えば、６個の発光ダイオードＤ１〜Ｄ６を直列に接続し、この６個の発光ダイオードＤ１〜Ｄ６を基本ブロック１０とする。
【００３１】
また、上記基本ブロック１０の発光ダイオードＤ１〜Ｄ６は、定電流駆動としており、定電流回路１により一定の順電流Ｉｆにて発光ダイオードＤ１〜Ｄ６を駆動するようにしている。また、定電流回路１は後述するようにＩＣを用いており、各発光ダイオードＤ１〜Ｄ６の順電圧Ｖｆに関係なく順電流Ｉｆが一定となるように定電流回路１にて制御される。
【００３２】
ここで、図１に示すように、定電流回路１には、６個の発光ダイオードＤ１〜Ｄ６にて構成される基本ブロック１０だけが接続されているものであり、従来例のように発光ダイオードＤ１〜Ｄ６と直列に定電流回路ないし抵抗が直列に接続されていない。なお、破線の基本ブロック１０は並列に接続する場合を示している。
したがって、発光ダイオードＤ１〜Ｄ６以外には電流Ｉｆは流れず、余分な発熱はなく、消費電力としては、発光ダイオードＤ１〜Ｄ６で消費される電力だけである。
【００３３】
照明器具の横方向の長さに応じて上記基本ブロック１０を複数用いるようにしたものであり、例えば、９つの基本ブロック１０を用いることで、横方向の寸法が５００ｍｍの照明器具を構成するようにしている。基本ブロック１０を複数用いる場合は、図１に示すように、各基本ブロック１０を並列に接続していくものであり、例えば、基本ブロック１０をｎ個用いる場合は、定電流回路１から出力される電流は、Ｉｆ×ｎ倍となる。
そして、単に必要数の基本ブロック１０を並列に接続していくだけで、各発光ダイオードの順電圧Ｖｆを考慮することなく所望の長さの照明器具を得ることができる。
【００３４】
図２は、照明器具の横方向の長さが、５００ｍｍ、６００ｍｍ、７５０ｍｍ、９００ｍｍの場合をそれぞれ示しており、５００ｍｍの長さの照明器具の場合は、上述したように前記基本ブロック１０を９つ用いている。電気回路的には図１に示すように各基本ブロック１０を９つ並列に接続するが、プリント基板上では、図２に示すように横方向に各発光ダイオードＤ１〜Ｄ６を実装する。
【００３５】
図２（ｂ）は５００ｍｍの照明器具の場合を示しており、上述したように基本ブロック１０を９つ用いている。そして、基本ブロック１０は、図２（ａ）に示すように、発光ダイオードＤ１〜Ｄ６がプリント基板１１上に所定のピッチ毎に列設されている。
すなわち、長尺物の照明器具を長手方向に複数に分割した場合に該分割された１つの長手方向の寸法と、前記基本ブロック１０のプリント基板１１上の実装上の長手方向の寸法とを略同一の寸法とし、前記基本ブロック１０を複数用いて長尺物の照明器具を構成するものである。
【００３６】
図２（ａ）（ｂ）に示すように、５００ｍｍの照明器具を形成する場合では、６個の発光ダイオードＤ１〜Ｄ６で構成した基本ブロック１０を９つ用いることで、つまり、６個の発光ダイオードＤ１〜Ｄ６をプリント基板１１上に実装した基本ブロック１０を９つ用いることで、長さが５００ｍｍの照明器具を構成することができる。
【００３７】
なお、図２における番号１〜１７は、基本ブロック１０の使用数を示し、また、図１における発光ダイオードＤ１〜Ｄ６の記号には発光ダイオードを示す２本の矢印は図示省略している。
【００３８】
図３は、５００ｍｍの照明器具の場合の回路図を示し、６個の発光ダイオードＤ１〜Ｄ６から基本ブロック１０を９つ並列に接続している。また、６００ｍｍの照明器具の場合では、図２（ｃ）に示すように、５００ｍｍの場合に比して基本ブロック１０を２つ増加させて、６００ｍｍの照明器具を構成している。
また、１つの基本ブロック１０の発光ダイオードＤ１〜Ｄ６の実装上の横方向の寸法を、基本ブロック１０を９つ用いた場合に５００ｍｍの照明器具に対応させている。図２に示すように、６００ｍｍの場合では、５００ｍｍの場合に比して基本ブロック１０を２つ増加させているが、６００ｍｍの場合から７５０ｍｍ、９００ｍｍの場合では、基本ブロック１０を３つづつ増加させて、７５０ｍｍ、９００ｍｍの照明器具を構成できるようにしている。
【００３９】
図４は、６００ｍｍの照明器具を構成した場合の回路図を示し、図の下部に増加させた２つの基本ブロック１０を分かり易いように少し間をあけて記載している。
【００４０】
また、図２（ｄ）に示す７５０ｍｍの照明器具の場合では、６００ｍｍの照明器具に比して更に３つの基本ブロック１０を増加させて、合計で１４の基本ブロック１０を用いている。
図２（ｅ）に示す９００ｍｍの照明器具の場合では、７５０ｍｍの照明器具に比して更に３つの基本ブロック１０を増加させて、合計で１７の基本ブロック１０を用いている。
上記の７５０ｍｍ、９００ｍｍの照明器具の場合、回路的には、図４に示す場合と同様に、増加させた３つの基本ブロック１０をそれぞれ並列に接続するものである。
【００４１】
このように本実施形態では、所望の所望の長尺物の照明器具を構成する場合、該照明器具と略同じ長さとなるように複数の基本ブロック１０を用いるだけで、所望の長尺物の照明器具を容易に形成することができる。
また、横方向の長さが増加する照明器具に対しては、増加した長さに対応する長さ分だけ前記基本ブロック１０を増加させていることで、所望の長尺物の照明器具を容易に形成することができ、また、照明器具の長さに応じて上記基本ブロック１０を複数増加させるだけなので、長さが異なる照明器具を構成する場合でも、在庫の種類を少なくでき、在庫管理を簡素化することができる。
【００４２】
また、長さが異なる照明器具を構成する場合、従来では、増加する部分では、発光ダイオードの個数を減らしたりしていたが、かかる場合には、発光ダイオードに直列に抵抗を接続する必要があり、その抵抗にて発熱する分だけ消費電力が多くなるが、本発明では、長さを長くした照明器具を構成する場合でも、抵抗等は使用しないので、消費電力を抑えることができる。
【００４３】
また、定電流回路１に対して複数の基本ブロック１０を並列に接続しているだけであり、従来のように発光ダイオードと直列に定電流回路や抵抗が接続されておらず、そのため、抵抗等での発熱がなく、効率を向上させることができる。
さらに、長さが異なる照明器具を構成する場合において、増加した基本ブロック１０は、増加前の基本ブロック１０に対して並列に接続するだけなので、基本ブロック１０を増加させる場合でも、回路構成を簡単にすることができる。
【００４４】
定電流回路１により、発光ダイオードＤ１〜Ｄ６の順電圧Ｖｆに関係なく順電流Ｉｆのみ一定としているので、発光ダイオードの製造で発生する「Ｖｆのバラツキ」を無関係とすることができ、回路設計を容易にすることができる。また、定電流回路１に接続されるのは基本ブロック１０の発光ダイオードＤ１〜Ｄ６だけなので、余分な発熱を抑えることができ、「効率」を向上させることができる。
また、定電流回路１と、この定電流回路１にて定電流駆動される基本ブロック１０だけなので、少ない部品点数にて回路を構成することができるので、コストの上昇を抑えることができる。
【符号の説明】
【００４５】
１  定電流回路
２  電源回路
１０  基本ブロック
１１  プリント基板
Ｄ１〜Ｄ６  発光ダイオード
Ｖｆ  順電圧
Ｉｆ  順電流
【図１】
2013243085.tif 000003
【図２】
2013243085.tif 000004
【図３】
2013243085.tif 000005
【図４】
2013243085.tif 000006
【図５】
2013243085.tif 000007
【図６】
2013243085.tif 000008
【図７】
2013243085.tif 000009
【図８】
2013243085.tif 000010
【図９】
2013243085.tif 000011
【図１０】
2013243085.tif 000012